(57)【要約】【課題】波形データに基づく各波形相互間の相対的な表示範囲の関係を確実に特定させ得る波形表示装置を提供する。【解決手段】所定時間分の波形データを記憶する記憶部と、波形データに基づく信号波形Ｗ１，Ｗ２を表示部６に表示させる表示制御部とを備え、表示制御部は、所定時間分の波形データのうちの第１の時間分の波形データに基づく信号波形Ｗ１と、第１の時間分の波形データのうちの第２の時間分の波形データに基づく信号波形Ｗ２とを表示させると共に、所定時間に対する第１の時間の相対的な時間範囲を示すスクロールバーＳｂおよびスクロールボックスＳｂｘ１を表示させると共に、第１の時間に対する第２の時間の相対的な時間範囲を示すスクロールボックスＳｂｘ２をスクロールボックスＳｂｘ１と共に表示させる。【選択図】図２
2007187610.tif 000002
【特許請求の範囲】
【請求項１】
所定時間分の波形データを記憶する記憶部と、前記波形データに基づく信号波形を表示部に表示させる表示制御部とを備え、
前記表示制御部は、前記所定時間分の波形データのうちの第１の時間分の波形データに基づく第１の信号波形と、前記第１の時間分の波形データのうちの第２の時間分の波形データに基づく第２の信号波形とを表示させると共に、前記所定時間に対する前記第１の時間の相対的な時間範囲を示す第１の表示と、前記第１の時間に対する前記第２の時間の相対的な時間範囲を示す第２の表示とを表示させる波形表示装置。
【請求項２】
前記表示制御部は、前記第１の表示として、前記所定時間に対応する長さのスクロールバー内に前記第１の時間に対応する長さの第１のスクロールボックスを表示させると共に、前記第２の表示として、前記第１のスクロールボックス内に前記第２の時間に対応する長さの第２のスクロールボックスを表示させる請求項１記載の波形表示装置。
【請求項３】
前記表示制御部は、前記第１のスクロールボックスがスライド操作させられたときに、前記スクロールバーにおける当該第１のスクロールボックスの位置に対応する前記第１の時間分の前記波形データに基づく前記第１の信号波形を表示させる請求項２記載の波形表示装置。
【請求項４】
前記表示制御部は、前記第２のスクロールボックスがスライド操作させられたときに、前記スクロールバーにおける当該第２のスクロールボックスの位置に対応する前記第２の時間分の前記波形データに基づく前記第２の信号波形を表示させる請求項２または３記載の波形表示装置。
【請求項５】
前記表示制御部は、前記第１のスクロールボックスのスライド操作時において、当該第１のスクロールボックスにおける当該スライド方向とは反対側の端部が前記第２のスクロールボックスにおける当該スライド方向とは反対側の端部と重なった状態で当該第１のスクロールボックスが当該スライド方向にさらにスライド操作されたときに、当該第２のスクロールボックスを当該第１のスクロールボックスと共に当該スライド方向にスライドさせる請求項２から４のいずれかに記載の波形表示装置。
【請求項６】
前記表示制御部は、前記第２のスクロールボックスのスライド操作時において、当該第２のスクロールボックスにおける当該スライド方向側の端部が前記第１のスクロールボックスにおける当該スライド方向側の端部と重なった状態で当該第２のスクロールボックスが当該スライド方向にさらにスライド操作されたときに、当該第１のスクロールボックスを当該第２のスクロールボックスと共に当該スライド方向にスライドさせる請求項２から５のいずれかに記載の波形表示装置。
【請求項７】
前記表示制御部は、前記両スクロールボックスのいずれかがスライド操作させられたときに、当該両スクロールボックスの相対的な位置関係を維持した状態で当該両スクロールボックスをスライドさせる請求項２から４のいずれかに記載の波形表示装置。
【請求項８】
所定時間分の波形データのうちの第１の時間分の波形データに基づく第１の信号波形と、前記第１の時間分の波形データのうちの第２の時間分の波形データに基づく第２の信号波形とを表示させると共に、前記所定時間に対する前記第１の時間の相対的な時間範囲を示す第１の表示と、前記第１の時間に対する前記第２の時間の相対的な時間範囲を示す第２の表示とを表示させる波形表示方法。
【発明の詳細な説明】
【技術分野】
【０００１】
本発明は、波形データに基づく信号波形を表示部に表示させる波形表示装置および波形表示方法に関するものである。
【背景技術】
【０００２】
この種の波形表示装置として、出願人は、磁気テープに記録された波形データに基づく信号波形（再生波形）をディスプレイに表示させる波形記録装置を特開平７−２４３８７１号公報に開示している。この波形記録装置では、磁気テープに記録された所定時間分の波形データのうちから所定の時間分の波形データ（所定数の波形データ）が読み出され、この読み出された波形データに基づく信号波形がディスプレイに表示される。また、この波形記録装置では、磁気テープに記録されているすべての波形データに基づく信号波形（以下、「全体波形」ともいう）の長さを示すスクロールバー（同公報におけるバー）がディスプレイに表示される。この場合、この波形記録装置では、全波形うちのどの箇所の信号波形が表示されているかを特定可能とするための識別マークがスクロールバー上に表示される。
【特許文献１】特開平７−２４３８７１号公報（第３−４頁、第１−３図）
【発明の開示】
【発明が解決しようとする課題】
【０００３】
ところが、上記の波形表示装置には、以下の改善すべき課題がある。すなわち、従来の装置では、識別マークをスクロールバー上に表示させることで、全波形に対する信号波形の表示範囲を特定させる構成が採用されている。一方、この種の装置のなかには、表示させている信号波形（以下、「通常波形」ともいう）とは別個に、その通常波形の任意の一部を時間軸方向に拡大した信号波形（以下、「拡大波形」ともいう）を表示させることにより、ディスプレイに表示される波形の時間長が（以下、単に「波形長」ともいう）異なる２種類の信号波形を表示可能に構成されたものが存在する。この場合、出願人が開示している装置で例えば波形長の異なる２種類の信号波形を表示させたときには、全波形に対する通常波形の相対的な表示範囲を特定させることができるものの、通常波形に対する拡大波形の相対的な表示範囲を特定させることは困難である。したがって、信号波形および拡大波形の双方を表示させたとしても、波形データに基づく全体波形および２種類の信号波形の相互間の相対的な表示範囲の関係を確実に特定できるのが好ましい。
【０００４】
本発明は、かかる改善すべき課題に鑑みてなされたものであり、波形データに基づく各波形相互間の相対的な表示範囲の関係を確実に特定させ得る波形表示装置および波形表示方法を提供することを主目的とする。
【課題を解決するための手段】
【０００５】
上記目的を達成すべく請求項１記載の波形表示装置は、所定時間分の波形データを記憶する記憶部と、前記波形データに基づく信号波形を表示部に表示させる表示制御部とを備え、前記表示制御部は、前記所定時間分の波形データのうちの第１の時間分の波形データに基づく第１の信号波形と、前記第１の時間分の波形データのうちの第２の時間分の波形データに基づく第２の信号波形とを表示させると共に、前記所定時間に対する前記第１の時間の相対的な時間範囲を示す第１の表示と、前記第１の時間に対する前記第２の時間の相対的な時間範囲を示す第２の表示とを表示させる。
【０００６】
また、請求項２記載の波形表示装置は、請求項１記載の波形表示装置において、前記表示制御部は、前記第１の表示として、前記所定時間に対応する長さのスクロールバー内に前記第１の時間に対応する長さの第１のスクロールボックスを表示させると共に、前記第２の表示として、前記第１のスクロールボックス内に前記第２の時間に対応する長さの第２のスクロールボックスを表示させる。
【０００７】
また、請求項３記載の波形表示装置は、請求項２記載の波形表示装置において、前記表示制御部は、前記第１のスクロールボックスがスライド操作させられたときに、前記スクロールバーにおける当該第１のスクロールボックスの位置に対応する前記第１の時間分の前記波形データに基づく前記第１の信号波形を表示させる。
【０００８】
また、請求項４記載の波形表示装置は、請求項２または３記載の波形表示装置において、前記表示制御部は、前記第２のスクロールボックスがスライド操作させられたときに、前記スクロールバーにおける当該第２のスクロールボックスの位置に対応する前記第２の時間分の前記波形データに基づく前記第２の信号波形を表示させる。
【０００９】
また、請求項５記載の波形表示装置は、請求項２から４のいずれかに記載の波形表示装置において、前記表示制御部は、前記第１のスクロールボックスのスライド操作時において、当該第１のスクロールボックスにおける当該スライド方向とは反対側の端部が前記第２のスクロールボックスにおける当該スライド方向とは反対側の端部と重なった状態で当該第１のスクロールボックスが当該スライド方向にさらにスライド操作されたときに、当該第２のスクロールボックスを当該第１のスクロールボックスと共に当該スライド方向にスライドさせる。
【００１０】
また、請求項６記載の波形表示装置は、請求項２から５のいずれかに記載の波形表示装置において、前記表示制御部は、前記第２のスクロールボックスのスライド操作時において、当該第２のスクロールボックスにおける当該スライド方向側の端部が前記第１のスクロールボックスにおける当該スライド方向側の端部と重なった状態で当該第２のスクロールボックスが当該スライド方向にさらにスライド操作されたときに、当該第１のスクロールボックスを当該第２のスクロールボックスと共に当該スライド方向にスライドさせる。
【００１１】
また、請求項７記載の波形表示装置は、請求項２から４のいずれかに記載の波形表示装置において、前記表示制御部は、前記両スクロールボックスのいずれかがスライド操作させられたときに、当該両スクロールボックスの相対的な位置関係を維持した状態で当該両スクロールボックスをスライドさせる。
【００１２】
また、請求項８記載の波形表示方法は、所定時間分の波形データのうちの第１の時間分の波形データに基づく第１の信号波形と、前記第１の時間分の波形データのうちの第２の時間分の波形データに基づく第２の信号波形とを表示させると共に、前記所定時間に対する前記第１の時間の相対的な時間範囲を示す第１の表示と、前記第１の時間に対する前記第２の時間の相対的な時間範囲を示す第２の表示とを表示させる。
【発明の効果】
【００１３】
請求項１記載の波形表示装置および請求項８記載の波形表示方法によれば、表示制御部が所定時間に対する第１の時間の相対的な時間範囲を示す第１の表示を表示させることにより、所定時間分の波形データに基づく信号波形（全体波形）のうちのどの箇所の信号波形が第１の信号波形（通常波形）として表示されているかを確実に特定させることができる。また、表示制御部が第１の時間に対する第２の時間の相対的な時間範囲を示す第２の表示を表示させることにより、通常波形のうちのどの箇所の信号波形が第２の信号波形（拡大波形）として表示されているかを確実に特定させることができる。したがって、この波形表示装置および波形表示方法によれば、全体波形および通常波形相互間の相対的な表示範囲の関係を確実に特定させることができると共に、通常波形および拡大波形相互間の相対的な表示範囲の関係を確実に特定させることができる結果、波形データに基づく各波形相互間の相対的な表示範囲の関係を確実に特定させることができる。
【００１４】
また、請求項２記載の波形表示装置によれば、表示制御部が、スクロールバー内に第１のスクロールボックスを表示させると共に、第１のスクロールボックス内に第２のスクロールボックスを表示させることにより、各波形相互間の相対的な表示範囲の関係を確実に特定させつつ、通常波形および信号波形をスクロールすることもできる。
【００１５】
また、請求項３記載の波形表示装置によれば、表示制御部が、第１のスクロールボックスの位置に対応する第１の時間分の波形データに基づく通常波形を表示させることにより、第１のスクロールボックスのスライド操作によって通常波形をスクロールすることができるため、全体波形における所望の箇所（例えばピークの点）の通常波形を容易に表示させることができる。
【００１６】
また、請求項４記載の波形表示装置によれば、表示制御部が、第２のスクロールボックスの位置に対応する第２の時間分の波形データに基づく拡大波形を表示させることにより、第２のスクロールボックスのスライド操作によって拡大波形をスクロールすることができるため、通常波形における所望の箇所の拡大波形を容易に表示させることができる。
【００１７】
また、請求項５記載の波形表示装置によれば、表示制御部が、第１のスクロールボックスのスライド方向とは反対側の端部同士が重なった状態で第１のスクロールボックスがさらにスライド操作されたときに第２のスクロールボックスを第１のスクロールボックスと共にスライドさせることにより、通常波形のうちの一部を拡大波形として詳細に表示した状態を維持しながら両信号波形をスクロールすることができる。このため、例えば全体波形における所望の箇所の信号波形を特定して表示させるようなときには、通常波形をスクロールすることによって所定の箇所の信号波形を大まかに特定することができると共にその箇所の信号波形を拡大波形によって詳細に表示させることができる。したがって、第１のスクロールボックスのスライド操作だけで全体波形における所望の箇所の信号波形を詳細に表示させることができるため、例えば各スクロールボックスを別個にスライド操作させて各信号波形を個別的にスクロールする構成と比較して、全体波形における所望の箇所の信号波形を迅速かつ容易に表示させることができる。
【００１８】
また、請求項６記載の波形表示装置によれば、表示制御部が、第１のスクロールボックスをスライドさせたスライド方向側の端部同士が重なった状態で第２のスクロールボックスがさらにスライド操作されたときに第１のスクロールボックスを第２のスクロールボックスと共にスライドさせることにより、通常波形のうちの一部を拡大波形として詳細に表示した状態を維持しながら両信号波形をスクロールすることができる。このため、例えば全体波形における所望の箇所の信号波形を特定して表示させるようなときには、拡大波形のスクロールに追従させて通常波形をスクロールすることによって所定の箇所の信号波形を大まかに特定することができると共にその箇所の信号波形を拡大波形によって詳細に表示させることができる。したがって、第２のスクロールボックスのスライド操作だけで全体波形における所望の箇所の信号波形を詳細に表示させることができるため、例えば各スクロールボックスを別個にスライド操作させて各信号波形を個別的にスクロールする構成と比較して、全体波形における所望の箇所の信号波形を迅速かつ容易に表示させることができる。
【００１９】
また、請求項７記載の波形表示装置によれば、表示制御部が、両スクロールボックスの相対的な位置関係を維持した状態で両スクロールボックスをスライドさせることにより、通常波形のうちの一部を拡大波形として詳細に表示した状態を維持しながら両信号波形をスクロールすることができる。このため、例えば全体波形における所望の箇所の信号波形を特定して表示させるようなときには、通常波形をスクロールすることによって所定の箇所の信号波形を大まかに特定することができると共にその箇所の信号波形を拡大波形によって詳細に表示させることができる。したがって、両スクロールボックスのいずれかのスライド操作だけで全体波形における所望の箇所の信号波形を詳細に表示させることができるため、例えば各スクロールボックスを別個にスライド操作させて各信号波形を個別的にスクロールする構成と比較して、全体波形における所望の箇所の信号波形を迅速かつ容易に表示させることができる。
【発明を実施するための最良の形態】
【００２０】
以下、本発明に係る波形表示装置および波形表示方法の最良の形態について、添付図面を参照して説明する。
【００２１】
最初に、波形表示装置１の構成について、図面を参照して説明する。
【００２２】
波形表示装置１は、図１に示すように、入力部２、表示制御部３、記憶部４、操作部５および表示部６を備えて、後述する表示画面Ｐ（図２，４〜８参照）を表示可能に構成されている。入力部２は、例えば外部の測定装置（図示せず）から入力される測定信号をアナログ−デジタル変換することによってサンプリングしてデジタル信号の入力信号Ｓｉを生成し、生成した入力信号Ｓｉを表示制御部３に出力する。
【００２３】
表示制御部３は、所定時間ｔｓ（例えば１．５ｍ秒：図３参照）分の入力信号Ｓｉの信号波形を示す波形データＤｗを記憶部４に記憶させる。また、表示制御部３は、操作部５から出力される操作信号Ｓｏに従い、波形データＤｗに基づく所定の信号波形Ｗ１，Ｗ２（図２参照。以下、区別しないときには「信号波形Ｗ」ともいう）を表示部６に表示させる。具体的には、表示制御部３は、表示部６を制御して、所定時間ｔｓ分の波形データＤｗのうちの操作部５の操作によって規定される任意の時間ｔ１（例えば６００μ秒：図３参照）分の波形データＤｗに基づく信号波形（本発明における第１の信号波形）Ｗ１を表示させると共に、時間ｔ１分の波形データＤｗのうちの操作部５の操作によって規定される任意の時間ｔ２（例えば３００μ秒：図３参照）分の波形データＤｗに基づく信号波形（本発明における第２の信号波形）Ｗ２を表示させる。さらに、表示制御部３は、図２，４〜８に示すように、後述するスクロールバーＳｂ、スクロールボックス（本発明における第１のスクロールボックス）Ｓｂｘ１およびスクロールボックス（本発明における第２のスクロールボックス）Ｓｂｘ２を表示画面Ｐに表示させると共に、操作部５の操作によって表示画面Ｐ内を移動可能なポインタＰｏを表示させる。この場合、ポインタＰｏをスクロールボックスＳｂｘ１上に移動させてドラッグすることにより、信号波形Ｗ１がスクロールされ、ポインタＰｏをスクロールボックスＳｂｘ２上に移動させてドラッグすることにより、信号波形Ｗ２がスクロールされる。
【００２４】
記憶部４は、表示制御部３の制御に従って波形データＤｗを記憶する。操作部５は、例えばポインタＰｏを移動させるマウスやタッチパッド等のポインティングデバイスを備え、ポインタＰｏの移動操作に応じた操作信号Ｓｏを表示制御部３に出力する。また、操作部５は、キーボード等の数値入力用の入力装置を備え、図３に示す時間ｔ１，ｔ２が設定されたときに、その時間ｔ１，ｔ２を示す操作信号Ｓｏを表示制御部３に出力する。表示部６は、表示制御部３の制御に従って表示画面Ｐを表示する。
【００２５】
次に、波形表示装置１の全体的な動作およびこの波形表示装置１を用いた波形表示方法について、図面を参照して説明する。
【００２６】
波形データＤｗを記憶部４に記憶させる際には、入力部２が、外部の測定装置から入力される測定信号をサンプリングしてデジタル信号の入力信号Ｓｉを生成し、生成した入力信号Ｓｉを表示制御部３に出力する。この際に、表示制御部３は、入力信号Ｓｉの入力開始からの時刻と入力部２から出力される入力信号Ｓｉの示す電圧値とを互いに対応付けることにより、入力信号Ｓｉの信号波形を示す波形データＤｗを生成する。例えば、表示制御部３は、図３に示すように、入力信号Ｓｉの信号波形の生成を開始した時刻ｔｓ１から入力信号Ｓｉの信号波形の生成を終了した時刻ｔｓ２までの所定時間ｔｓ分（この例では１．５ｍ秒）の信号波形（以下、この信号波形を「全体波形」ともいう）を示す波形データＤｗを記憶部４に記憶させる。
【００２７】
また、波形データＤｗに基づく信号波形Ｗを表示部６に表示させる際には、操作部５を用いて、信号波形Ｗ１，Ｗ２（図２，４〜８参照）を表示画面Ｐに表示させるための各時間ｔ１，ｔ２を設定する。この場合、時間ｔ１は、本発明における第１の時間であって、図３に示すように、時刻ｔｓ１以降の時刻であってポインタＰｏの移動操作に応じて設定される任意の時刻ｔ１１（例えば時刻ｔｓ１から１００μ秒後の時点）から、時刻ｔｓ２以前の時刻であってポインタＰｏの移動操作に応じて設定される時刻ｔ１２（例えば時刻ｔｓ１から７００μ秒後の時点）までの時間ｔ１（この例では６００μ秒）に設定される。また、時間ｔ２は、本発明における第２の時間であって、同図に示すように、時刻ｔ１１以降の時刻であってポインタＰｏの移動操作に応じて設定される任意の時刻ｔ２１（例えば時刻ｔｓ１から２５０μ秒後の時点）から、時刻ｔ１２以前の時刻であってポインタＰｏの移動操作に応じて設定される時刻ｔ２２（例えば時刻ｔｓ１から５５０μ秒後の時点）までの時間ｔ２（この例では３００μ秒）に設定される。この際に、操作部５は、設定された両時間ｔ１，ｔ２を示す操作信号Ｓｏを表示制御部３に出力する。
【００２８】
また、表示制御部３は、記憶させた所定時間ｔｓ分の波形データＤｗのうちから時間ｔ１分の波形データＤｗを読み込む。次いで、表示制御部３は、図２に示すように、読み込んだ波形データＤｗに基づく信号波形Ｗ１（以下、この信号波形Ｗ１を「通常波形Ｗ１」ともいう）を波形表示画面Ｐ１内に表示させる。この場合、波形表示画面Ｐ１は、例えば、同図に示すように、表示画面Ｐの上側の領域に横長に表示される。また、波形表示画面Ｐ１内には、通常波形Ｗ１のうちのどの箇所の信号波形が拡大波形Ｗ２として後述の波形表示画面Ｐ２内に表示されているかを示す枠Ｆが表示される。
【００２９】
さらに、表示制御部３は、時間ｔ１分の波形データＤｗのうちから時間ｔ２分の波形データＤｗを読み込む。続いて、表示制御部３は、図２に示すように、読み込んだ波形データＤｗに基づく信号波形Ｗ２を波形表示画面Ｐ２内に表示させる。これにより、波形表示画面Ｐ２内には、通常波形Ｗ１のうちの一部を時間軸方向に拡大した信号波形Ｗ２（以下、この信号波形Ｗ２を「拡大波形Ｗ２」ともいう）が詳細に表示される。この場合、波形表示画面Ｐ２は、例えば、同図に示すように、表示画面Ｐの下側の領域に横長に表示される。
【００３０】
また、表示制御部３は、図２に示すように、スクロールバーＳｂおよびスクロールボックスＳｂｘ１，Ｓｂｘ２（以下、区別しないときは「スクロールボックスＳｂｘ」ともいう）を表示画面Ｐの下部の領域に表示させる。この場合、スクロールバーＳｂは、その長さＬｓが全体波形の波形長である所定時間ｔｓに対応する長さに規定されると共に表示画面Ｐの幅方向に延在するように横長に表示される。また、スクロールボックスＳｂｘ１は、その長さＬ１が信号波形Ｗ１の波形長である時間ｔ１に対応する長さに規定されると共にスクロールバーＳｂ内に表示される。これにより、スクロールバーＳｂおよびスクロールボックスＳｂｘ１は、本発明における第１の表示として、全体波形の波形長である所定時間ｔｓに対する信号波形Ｗ１の波形長である時間ｔ１の相対的な時間範囲を示す。この場合、スクロールバーＳｂ内にスクロールボックスＳｂｘ１が表示されることにより、全体波形のうちのどの箇所の信号波形が波形表示画面Ｐ１内に通常波形Ｗ１として表示されているかが確実に特定される。
【００３１】
また、スクロールボックスＳｂｘ２は、その長さＬ２が信号波形Ｗ２の波形長である時間ｔ２に対応する長さに規定されると共にスクロールボックスＳｂｘ１内に表示される。これにより、両スクロールボックスＳｂｘ１，Ｓｂｘ２は、本発明における第２の表示として、信号波形Ｗ１の波形長である時間ｔ１に対する信号波形Ｗ２の波形長である時間ｔ２の相対的な時間範囲を示す。この場合、スクロールボックスＳｂｘ１内にスクロールボックスＳｂｘ２が表示されることにより、通常波形Ｗ１のうちのどの箇所の信号波形が波形表示画面Ｐ２内に拡大波形Ｗ２として表示されているかが確実に特定される。したがって、この波形表示装置１では、全体波形に対する通常波形Ｗ１および拡大波形Ｗ２のそれぞれの相対的な表示範囲の関係が確実に特定される。
【００３２】
また、スクロールボックスＳｂｘ１のスライド操作によって信号波形Ｗをスクロールする際には、操作部５を用いて、図４に示すように、スクロールボックスＳｂｘ１上にポインタＰｏを移動させた後に、所定のスライド方向Ａ（右方向）にスクロールボックスＳｂｘ１をドラッグする。この際に、操作部５は、スクロールボックスＳｂｘ１のスライド操作に応じた操作信号Ｓｏを表示制御部３に出力する。これに応じて、表示制御部３は、表示部６を制御することにより、スクロールバーＳｂにおけるスクロールボックスＳｂｘ１の位置に対応する時刻ｔ１１から時刻ｔ１２までの時間ｔ１分の波形データＤｗに基づく通常波形Ｗ１を波形表示画面Ｐ１内に表示させる。この場合、表示制御部３がスクロールボックスＳｂｘ１の位置に対応する時間ｔ１分の波形データＤｗに基づく通常波形Ｗ１を表示させることにより、スクロールボックスＳｂｘ１のスライド操作によって通常波形Ｗ１がスクロールされる。
【００３３】
この際に、スクロールボックスＳｂｘ１が右方向にスライド操作されたときには、表示制御部３は、現在表示されている通常波形Ｗ１に続く信号波形を波形表示画面Ｐ１内に表示させるために信号波形Ｗ１を枠Ｆと共に左方向にスクロールする。なお、この時点では、表示制御部３は、拡大波形Ｗ２を初期状態のままで維持させると共に、スクロールボックスＳｂｘ２も初期位置に維持させる。この際に、スクロールボックスＳｂｘ１におけるスライド方向Ａとは反対側の左端部Ｅ１ａがスクロールボックスＳｂｘ２の左端部Ｅ２ａに接近する。続いて、スクロールボックスＳｂｘ１をさらにスライド操作することにより、図４に示すように、両左端部Ｅ１ａ，Ｅ２ａが重なり合う。
【００３４】
次いで、両左端部Ｅ１ａ，Ｅ２ａが重なった状態でスクロールボックスＳｂｘ１がさらにスライド操作されたときには、表示制御部３は、スクロールボックスＳｂｘ２をスクロールボックスＳｂｘ１と共にスライド方向Ａにスライドさせる。この際に、表示制御部３は、両スクロールボックスＳｂｘ１，Ｓｂｘ２の位置に対応する時間ｔ１，ｔ２分の波形データＤｗに基づく両信号波形Ｗ１，Ｗ２を表示させる。例えば、表示制御部３は、図５に示すように、スクロールボックスＳｂｘ１の位置に対応する時刻ｔ１１（例えば時刻ｔｓ１から３５０μ秒後の時点）から時刻ｔ１２（例えば時刻ｔｓ１から９５０μ秒後の時点）までの時間ｔ１分の波形データＤｗに基づく通常波形Ｗ１を表示させると共に、スクロールボックスＳｂｘ２の位置に対応する時刻ｔ２１（例えば時刻ｔｓ１から３５０μ秒後の時点）から時刻ｔ２２（例えば時刻ｔｓ１から６５０μ秒後の時点）までの時間ｔ２分の波形データＤｗに基づく拡大波形Ｗ２を表示させる。
【００３５】
このように、表示制御部３は、通常波形Ｗ１のうちの一部を拡大波形Ｗ２として詳細に表示した状態を維持しながら両信号波形Ｗをスクロールする。この場合、例えば全体波形における所望の箇所（例えばピークの点）の信号波形を特定して表示させるようなときには、通常波形Ｗ１をスクロールすることによって所定の箇所の信号波形を大まかに特定し、それと同時にその箇所の信号波形を拡大波形Ｗ２によって詳細に表示させる。これにより、スクロールボックスＳｂｘ１のスライド操作だけで全体波形における所望の箇所の信号波形を詳細に表示させることが可能となるため、例えば各スクロールボックスＳｂｘを別個にスライド操作させて各信号波形Ｗ１，Ｗ２を個別的にスクロールする構成と比較して、全体波形における所望の箇所の信号波形Ｗが迅速かつ容易に表示される。
【００３６】
また、スクロールボックスＳｂｘ２のスライド操作によって信号波形Ｗをスクロールする際には、図６に示すように、スクロールボックスＳｂｘ２上にポインタＰｏを移動させた後に、スライド方向Ａ（右方向）にスクロールボックスＳｂｘ２をドラッグする。この際に、表示制御部３は、スクロールボックスＳｂｘ１におけるスクロールボックスＳｂｘ２の位置に対応する時刻ｔ２１から時刻ｔ２２までの時間ｔ２分の波形データＤｗに基づく拡大波形Ｗ２を波形表示画面Ｐ２内に表示させる。この場合、表示制御部３がスクロールボックスＳｂｘ２の位置に対応する時間ｔ２分の波形データＤｗに基づく拡大波形Ｗ２を表示させることにより、スクロールボックスＳｂｘ２のスライド操作によって拡大波形Ｗ２がスクロールされる。
【００３７】
この際に、スクロールボックスＳｂｘ２が右方向にスライド操作されたときには、表示制御部３は、現在表示されている拡大波形Ｗ２に続く信号波形を波形表示画面Ｐ２内に表示させるために拡大波形Ｗ２を左方向にスクロールすると共に、枠Ｆを波形表示画面Ｐ１内において右方向にスクロールする。なお、この時点では、表示制御部３は、通常波形Ｗ１を初期状態のままで維持させると共に、スクロールボックスＳｂｘ１も初期位置に維持させる。この際に、スクロールボックスＳｂｘ２におけるスライド方向Ａ側の右端部Ｅ２ｂがスクロールボックスＳｂｘ１の右端部Ｅ１ｂに接近する。続いて、スクロールボックスＳｂｘ２をさらにスライド操作することにより、図６に示すように、両右端部Ｅ２ｂ，Ｅ１ｂが重なり合う。
【００３８】
次いで、両右端部Ｅ２ｂ，Ｅ１ｂが重なった状態でスクロールボックスＳｂｘ２がさらにスライド操作されたときには、表示制御部３は、スクロールボックスＳｂｘ１をスクロールボックスＳｂｘ２と共にスライド方向Ａにスライドさせる。この際に、表示制御部３は、両スクロールボックスＳｂｘ１，Ｓｂｘ２の位置に対応する時間ｔ１，ｔ２分の波形データＤｗに基づく両信号波形Ｗ１，Ｗ２を表示させる。例えば、表示制御部３は、図７に示すように、スクロールボックスＳｂｘ１の位置に対応する時刻ｔ１１（例えば時刻ｔｓ１から２００μ秒後の時点）から時刻ｔ１２（例えば時刻ｔｓ１から８００μ秒後の時点）までの時間ｔ１分の波形データＤｗに基づく通常波形Ｗ１を表示させると共に、スクロールボックスＳｂｘ２の位置に対応する時刻ｔ２１（例えば時刻ｔｓ１から５００μ秒後の時点）から時刻ｔ２２（例えば時刻ｔｓ１から８００μ秒後の時点）までの時間ｔ２分の波形データＤｗに基づく拡大波形Ｗ２を表示させる。
【００３９】
上記したように、表示制御部３は、通常波形Ｗ１のうちの一部を拡大波形Ｗ２として詳細に表示した状態を維持しながら両信号波形Ｗをスクロールする。この場合、例えば全体波形における所望の箇所の信号波形を特定して表示させるようなときには、拡大波形Ｗ２のスクロールに追従させて通常波形Ｗ１をスクロールすることによって所定の箇所の信号波形を大まかに特定すると共にその箇所の信号波形を拡大波形Ｗ２によって詳細に表示させる。これにより、スクロールボックスＳｂｘ２のスライド操作だけで全体波形における所望の箇所の信号波形を詳細に表示させることが可能となるため、例えば各スクロールボックスＳｂｘを別個にスライド操作させて各信号波形Ｗ１，Ｗ２を個別的にスクロールする構成と比較して、全体波形における所望の箇所の信号波形Ｗが迅速かつ容易に表示される。
【００４０】
このように、この波形表示装置１および上記の波形表示方法によれば、表示制御部３がスクロールバーＳｂ内にスクロールボックスＳｂｘ１を表示させることにより、全体波形のうちのどの箇所の信号波形が通常波形Ｗ１として表示されているかを確実に特定させることができる。また、表示制御部３がスクロールボックスＳｂｘ１内にスクロールボックスＳｂｘ２を表示させることにより、通常波形Ｗ１のうちのどの箇所の信号波形が拡大波形Ｗ２として表示されているかを確実に特定させることができる。したがって、この波形表示装置１および上記の波形表示方法によれば、全体波形および通常波形Ｗ１相互間の相対的な表示範囲の関係を確実に特定させることができると共に、通常波形Ｗ１および拡大波形Ｗ２相互間の相対的な表示範囲の関係を確実に特定させることができる結果、波形データＤｗに基づく各波形相互間の相対的な表示範囲の関係を確実に特定させることができる。
【００４１】
また、この波形表示装置１によれば、表示制御部３が、スクロールバーＳｂ内にスクロールボックスＳｂｘ１を表示させると共に、スクロールボックスＳｂｘ１内にスクロールボックスＳｂｘ２を表示させることにより、各波形相互間の相対的な表示範囲の関係を確実に特定させつつ、各信号波形Ｗをスクロールすることもできる。
【００４２】
また、この波形表示装置１によれば、表示制御部３が、スクロールボックスＳｂｘ１の位置に対応する時間ｔ１分の波形データＤｗに基づく通常波形Ｗ１を表示させることにより、スクロールボックスＳｂｘ１のスライド操作によって通常波形Ｗ１をスクロールすることができるため、全体波形における所望の箇所の通常波形Ｗ１を容易に表示させることができる。
【００４３】
また、この波形表示装置１によれば、表示制御部３が、スクロールボックスＳｂｘ２の位置に対応する時間ｔ２分の波形データＤｗに基づく拡大波形Ｗ２を表示させることにより、スクロールボックスＳｂｘ２のスライド操作によって拡大波形Ｗ２をスクロールすることができるため、通常波形Ｗ１における所望の箇所の拡大波形Ｗ２を容易に表示させることができる。
【００４４】
また、この波形表示装置１によれば、両左端部Ｅ１ａ，Ｅ２ａが重なった状態でスクロールボックスＳｂｘ１がさらにスライド操作されたときに、表示制御部３が、スクロールボックスＳｂｘ２をスクロールボックスＳｂｘ１と共にスライドさせることにより、通常波形Ｗ１のうちの一部を拡大波形Ｗ２として詳細に表示した状態を維持しながら両信号波形Ｗ１，Ｗ２をスクロールすることができる。このため、例えば全体波形における所望の箇所の信号波形を特定して表示させるようなときには、通常波形Ｗ１をスクロールすることによって所定の箇所の信号波形を大まかに特定することができると共にその箇所の信号波形を拡大波形Ｗ２によって詳細に表示させることができる。したがって、スクロールボックスＳｂｘ１のスライド操作だけで全体波形における所望の箇所の信号波形を詳細に表示させることができるため、例えば各スクロールボックスＳｂｘを別個にスライド操作させて各信号波形Ｗ１，Ｗ２を個別的にスクロールする構成と比較して、全体波形における所望の箇所の信号波形Ｗを迅速かつ容易に表示させることができる。
【００４５】
また、この波形表示装置１によれば、両右端部Ｅ２ｂ，Ｅ１ｂが重なった状態でスクロールボックスＳｂｘ２がさらにスライド操作されたときに、表示制御部３が、スクロールボックスＳｂｘ１をスクロールボックスＳｂｘ２と共にスライドさせることにより、通常波形Ｗ１のうちの一部を拡大波形Ｗ２として詳細に表示した状態を維持しながら両信号波形Ｗ１，Ｗ２をスクロールすることができる。このため、例えば全体波形における所望の箇所の信号波形を特定して表示させるようなときには、拡大波形Ｗ２のスクロールに追従させて通常波形Ｗ１をスクロールすることによって所定の箇所の信号波形を大まかに特定することができると共にその箇所の信号波形を拡大波形Ｗ２によって詳細に表示させることができる。したがって、スクロールボックスＳｂｘ２のスライド操作だけで全体波形における所望の箇所の信号波形を詳細に表示させることができるため、例えば各スクロールボックスＳｂｘを別個にスライド操作させて各信号波形Ｗ１，Ｗ２を個別的にスクロールする構成と比較して、全体波形における所望の箇所の信号波形Ｗを迅速かつ容易に表示させることができる。
【００４６】
なお、本発明は、上記の構成に限定されない。例えば、両スクロールボックスＳｂｘ１，Ｓｂｘ２における左端部Ｅ１ａ，Ｅ２ａ同士または右端部Ｅ２ｂ，Ｅ１ｂ同士が重なった状態でいずれかのスクロールボックスＳｂｘがスライド操作されたときに、両スクロールボックスＳｂｘを同時にスライドさせる例について説明したが、これに限定されない。例えば、両スクロールボックスＳｂｘのいずれかがスライド操作させられたときに、表示制御部３が、両スクロールボックスＳｂｘの相対的な位置関係を維持した状態で両スクロールボックスＳｂｘをスライドさせることもできる。
【００４７】
この場合、図８に示すように、例えばスクロールボックスＳｂｘ１がスライド方向Ａにスライド操作されたときには、表示制御部３は、両スクロールボックスＳｂｘの相対的な位置関係を維持した状態でスライド開始時点から両スクロールボックスＳｂｘをスライド方向Ａにスライドさせる。これにより、両信号波形Ｗ１，Ｗ２が左方向に向かって同時にスクロールされる。同様にして、スクロールボックスＳｂｘ２がスライド操作されたときにも、上記の動作と同様にして両信号波形Ｗ１，Ｗ２がスクロールされる。この場合、両スクロールボックスＳｂｘのいずれがスライド操作されたときにも、表示制御部３は、通常波形Ｗ１のうちの一部を拡大波形Ｗ２として詳細に表示した状態を維持しながら両信号波形Ｗをスクロールする。このため、この構成によれば、例えば全体波形における所望の箇所の信号波形を特定して表示させるようなときには、通常波形Ｗ１をスクロールすることによって所定の箇所の信号波形を大まかに特定することができると共にその箇所の信号波形を拡大波形Ｗ２によって詳細に表示させることができる。したがって、両スクロールボックスＳｂｘのいずれかのスライド操作だけで全体波形における所望の箇所の信号波形を詳細に表示させることができるため、例えば各スクロールボックスＳｂｘを別個にスライド操作させて各信号波形Ｗ１，Ｗ２を個別的にスクロールする構成と比較して、全体波形における所望の箇所の信号波形Ｗを迅速かつ容易に表示させることができる。
【図面の簡単な説明】
【００４８】
【図１】波形表示装置１のブロック図である。
【図２】スクロールボックスＳｂｘ２がスクロールボックスＳｂｘ１の中央にある状態の表示画面Ｐを示す表示画面図である。
【図３】所定時間ｔｓおよび各時間ｔ１，ｔ２の関係を示す関係図である。
【図４】両スクロールボックスＳｂｘ１，Ｓｂｘ２の左端部Ｅ１ａ，Ｅ２ａが重なった状態の表示画面Ｐを示す表示画面図である。
【図５】スクロールボックスＳｂｘ１をドラッグして両スクロールボックスＳｂｘ１，Ｓｂｘ２をスライド操作している状態の表示画面Ｐの一例を示す表示画面図である。
【図６】両スクロールボックスＳｂｘ１，Ｓｂｘ２の右端部Ｅ１ｂ，Ｅ２ｂが重なった状態の表示画面Ｐを示す表示画面図である。
【図７】スクロールボックスＳｂｘ２をドラッグして両スクロールボックスＳｂｘ１，Ｓｂｘ２をスライド操作している状態の表示画面Ｐを示す表示画面図である。
【図８】スクロールボックスＳｂｘ１をドラッグして両スクロールボックスＳｂｘ１，Ｓｂｘ２をスライド操作している状態の表示画面Ｐの他の一例を示す表示画面図である。
【符号の説明】
【００４９】
１  波形表示装置
２  入力部
３  表示制御部
４  記憶部
５  操作部
６  表示部
Ｄｗ  波形データ
Ｅ１ａ，Ｅｂ  左端部
Ｅ１ｂ，Ｅ２ｂ  右端部
Ｌｓ，Ｌ１，Ｌ２  長さ
Ｓｂ  スクロールバー
Ｓｂｘ１，Ｓｂｘ２  スクロールボックス
ｔｓ  所定時間
ｔ１，ｔ２  時間
Ｗ１，Ｗ２  信号波形
【図１】
2007187610.tif 000003
【図２】
2007187610.tif 000004
【図３】
2007187610.tif 000005
【図４】
2007187610.tif 000006
【図５】
2007187610.tif 000007
【図６】
2007187610.tif 000008
【図７】
2007187610.tif 000009
【図８】
2007187610.tif 000010